(57)【要約】【課題】開いた際には傘布の一方側をより広く形成することができ、閉じた際には傘骨が邪魔にならないようにした傘を提供し、また開いた際にバランスを保ち易くした傘を提供する。【解決手段】一端側に把手２を有する傘軸３を設け、該傘軸３の他端側に長さの等しい多数本の傘骨４を放射状に開閉自在に連結し、傘骨４を開閉する開閉機構５を設け、多数本の傘骨４の内の一部（４ａ）に短尺な補助骨６を外側に向けて折り畳み可能に連結し、各傘骨４（４ａ）及び補助骨６の上面に傘布７（７ａ）を張設する。【選択図】　図３
0003098897.tif 000002
【実用新案登録請求の範囲】
【請求項１】
一端側に把手を有する傘軸を設け、該傘軸の他端側に長さの等しい多数本の傘骨を放射状に開閉自在に連結し、前記傘骨を開閉する開閉機構を設け、前記多数本の傘骨の内の一部に短尺な補助骨を外側に向けて折り畳み可能に連結し、前記各傘骨及び補助骨の上面に傘布を張設してなることを特徴とする傘。
【請求項２】
補助骨は複数本とし、これらを互いに隣接させて設けた請求項１に記載の傘。
【請求項３】
補助骨部における傘布は、他の傘骨部における傘布に比べ軽量材により形成した請求項１又は２に記載の傘。
【請求項４】
傘骨の先端部にキャップを被せ、該キャップと略同形のキャップを傘骨と補助骨とを連結する連結部材の外端部に被せた請求項１〜３のいずれか１項に記載の傘。
【考案の詳細な説明】
【０００１】
【考案の属する技術分野】
本考案は雨傘、日傘等の傘に関し、特に、傘布の一方側をより広く形成するようにした傘に関する。
【０００２】
【従来の技術】
一般に、傘を構成する多数本（通常８本又は６本）の傘骨は同じ長さで形成されており、傘をさした使用状態で、傘布は前後左右が均等になるように形成されている。激しい雨の時、傘を持つ手と反対側の肩部が濡れ易く、また前かがみの状態で傘をさすと、特に背中側が濡れ易い。
かかる不具合を解消するため、傘をさした際、傘布の一方側をより広く形成するようにしたものがある（例えば、特許文献１参照。）。
【０００３】
【特許文献１】実用新案登録第３０９３５０４号公報　（第２−３頁、図１〜図５）
【０００４】
【考案が解決しようとする課題】
しかし、上記従来の傘は、図５に示すように、傘布２０の一方側をより広く形成することができる（斜線部）が、傘２１を閉じた際には、図６に示すように、長尺の傘骨２２が把手部２３まで延びているため、携行する際に邪魔になり易い。また、長尺の傘骨部２２は他部に比べて傘布が広い面積となるため重くなり、傘２１を開いた状態では傘軸２４が長尺の傘骨２２部側に傾いてバランスを崩し易い。
そこで、本考案は、開いた際には傘布の一方側をより広く形成することができ、閉じた際には傘骨が邪魔にならないようにした傘を提供し、また開いた際にバランスを保ち易くした傘を提供することを目的とする。
【０００５】
【課題を解決するための手段】
上記課題を解決するために、本考案による傘は、一端側に把手を有する傘軸を設け、該傘軸の他端側に長さの等しい多数本の傘骨を放射状に開閉自在に連結し、前記傘骨を開閉する開閉機構を設け、前記多数本の傘骨の内の一部に短尺な補助骨を外側に向けて折り畳み可能に連結し、前記各傘骨及び補助骨の上面に傘布を張設してなること、を特徴としている。
ここで、補助骨は複数本とし、これらを互いに隣接させて設けるとよい。
また、補助骨部における傘布は、他の傘骨部における傘布に比べ軽量材により形成してもよい。
また、傘骨の先端部にキャップを被せ、該キャップと略同形のキャップを傘骨と補助骨とを連結する連結部材の外端部に被せてもよい。
【０００６】
【考案の実施の形態】
以下、本考案の実施の形態を図面に基づいて具体的に説明する。図１は本考案の実施例による傘を開いた状態の平面図、図２は実施例による傘を閉じた状態の側面図、図３は実施例による傘を開いた状態の斜視図、図４は傘骨と補助骨との連結部の拡大側面図である。
【０００７】
図において傘１は、一端側に把手２を有する傘軸３を設け、該傘軸３の他端側に長さの等しい多数本（８本）の傘骨４を放射状に配置して開閉自在に連結し、傘骨４を開閉する開閉機構５を設け、多数本の傘骨４の内の隣接する２本（４ａ）に短尺な補助骨６を外側に向けて折り畳み可能に連結し、各傘骨４（４ａ）及び補助骨６の上面に傘布７を張設してなる。補助骨６部において、傘布７は従来の傘に比べて、斜線で示した分だけ広い面積となる。傘１を閉じる際、補助骨６を外側に折り畳めば（図４の想像線）、全ての傘骨４（４ａ）は同じ寸法となる（図２）。
【０００８】
傘骨４ａと補助骨６との連結部は、図４に示すように、傘骨４ａの先端部に連結部材８の一端側を固着し、連結部材８の中央部で補助骨６の基端部をピン９を介して回動可能に連結してある。連結部材８の外端部には、傘骨４の先端部に被せられるキャップ１０と略同形のキャップ１０ａを被せてある。
【０００９】
なお、補助骨６は１本としてもよいし、互いに隣接する３本以上としてもよい。補助骨６を複数本とすれば、１本の場合に比べより広い面積の傘布７を確保することができる。
【００１０】
図２，図３において、把手２は湾曲したものを示したが、Ｌ字状でも棒状でもよい。傘軸３の他端には石突き１１を設けてある。各傘骨４は一端が傘軸３の他端側に軸支され、開閉自在に傘軸３に連結される。開閉機構５は、傘軸３に沿って摺動可能に設けたスライド部材１２と、一端が各傘骨４の途中に軸支され他端がスライド部材１２に軸支される受骨１３からなる。そして、スライド部材１２を傘軸３の他端側に摺動させることにより受骨１３を介して傘骨４と傘布７が開き、スライド部材１２を把手２側に摺動させることにより受骨１３を介して傘骨４と傘布７が閉じる。スライド部材１２を傘軸３の他端側と把手２側とに保持する係止具（図示せず）を設けてある。
【００１１】
傘布７は、雨傘にあっては防水性の資材、日傘にあっては遮光性の資材を用いる。ここで、補助骨部６における傘布７ａを、他の傘骨４部における傘布７に比べ軽量材により形成するとよい。全ての傘布７に同じ資材を用いた場合には、補助骨６部側が重くなるため、傘１をさした際に傘軸３が補助骨６部側に傾き易くなるが、このようにすれば、傘軸３が傾き難くなり、バランスよく傘をさすことができる。
【００１２】
次に、本考案による傘１の使用方法を説明する。傘１を開いた状態で、補助骨６部（広い面積部分）が把手２を持つ手と反対側にくるようにして傘１をさす。こうすれば、把手２を持つ手と反対側の肩部が濡れ難くなる。また、補助骨６部が背中側にくるようにして傘１をさせば、背中側が濡れ難くなる。また、一本の傘１に二人一緒に入る相傘として使用する際には、補助骨６部が傘１を持たない相手の外側の肩部にくるようにして傘１をさせば、傘１を持たない相手の外側の肩も濡れ難くなる。上記は雨傘の場合を説明したが、日傘にあっても同様に日の光をより広く遮ることができる。
一方、傘１　を閉じて携行する際には、補助骨６を外側に折り畳む。図２に示すように、補助骨６は折り畳まれて把手部にかからないので、補助骨６が邪魔になって把手２を持ちにくくなることがない。なお、図２において、符号１４は止め紐で、補助骨６の先端部及び傘布７が広がらないようにする。
【００１３】
【考案の効果】
以上説明したように本考案の傘によれば、多数本の傘骨の内の一部に短尺な補助骨を外側に向けて折り畳み可能に連結し、各傘骨及び補助骨の上面に傘布を張設したので、傘を開いた際には傘布の一方側をより広く形成することができ、一方、傘を閉じた際には、補助骨を外側に折り畳めば補助骨が把手の邪魔をすることなく、持ち運びに支障を来すことがない。
また、補助骨を複数本とし、これらを互いに隣接させて設ければ、１本の場合に比べ、より広い面積の傘布を確保することができる。
また、補助骨部における傘布を、他の傘骨部における傘布に比べ軽量材により形成すれば、傘を開いた際に傘軸が傾斜し難くなりバランスを保ち易くなる。
また、傘骨の先端部にキャップを被せ、該キャップと略同形のキャップを連結部材の外端部に被せれば、傘を閉じ補助骨を外側に折り畳んだ際、連結部材の外端部がキャップで覆われて安全性が高まり、また傘骨の端部が揃って見栄えもよくなる。
【図面の簡単な説明】
【図１】本考案の実施例による傘を開いた状態の平面図。
【図２】実施例による傘を閉じた状態の側面図。
【図３】実施例による傘を開いた状態の斜視図。
【図４】傘骨と補助骨との連結部の拡大側面図。
【図５】従来例による傘を開いた状態の斜視図。
【図６】従来例による傘を閉じた状態の側面図。
【符号の説明】
１　傘
２　把手
３　傘軸
４，４ａ　傘骨
５　開閉機構
６　補助骨
７　傘布
７ａ　補助骨部における傘布
８　連結部材
９　ピン
１０，１０ａ　キャップ
１１　石突き
１２　スライド部材
１３　受骨
１４　止め紐
【図１】
0003098897.tif 000003
【図２】
0003098897.tif 000004
【図３】
0003098897.tif 000005
【図４】
0003098897.tif 000006
【図５】
0003098897.tif 000007
【図６】
0003098897.tif 000008